(57)【要約】【課題】処理負担の軽減と精度向上との両立を図る。【解決手段】実施形態の補正フィルタ処理装置は、インパルス応答算出手段と、群遅延修正手段と、切出手段と、を備える。インパルス応答算出手段は、音場を含んで構成される再生系のインパルス応答を算出する。群遅延修正手段は、インパルス応答の逆特性を有するＦＩＲ（Finite  Impulse  Response）フィルタに対して、予め定められた周波数より低い帯域を示す低周波数帯域の群遅延特性を、当該予め定められた周波数より高い帯域を示す中高周波数帯域の群遅延特性に基づいて修正する。切出手段は、群遅延修正手段により修正された後のＦＩＲフィルタから、予め設定されたタップ数分切り出す。【選択図】図１
2012128371.tif 000002
【特許請求の範囲】
【請求項１】
音場を含んで構成される再生系のインパルス応答を算出するインパルス応答算出手段と、
前記インパルス応答の逆特性を有するＦＩＲ（Finite  Impulse  Response）フィルタに対して、予め定められた周波数より低い帯域を示す低周波数帯域の群遅延特性を、当該予め定められた周波数より高い帯域を示す中高周波数帯域の群遅延特性に基づいて修正する群遅延修正手段と、
前記群遅延修正手段により修正された後の前記ＦＩＲフィルタから、予め設定されたタップ数分切り出す切出手段と、
を備えた補正フィルタ処理装置。
【請求項２】
前記群遅延修正手段は、前記低周波数帯域の群遅延特性を、前記中高周波数帯域の群遅延特性の平均値に近似する所定の値で修正する請求項１に記載の補正フィルタ処理装置。
【請求項３】
音声信号を出力する出力手段と、
前記切出手段により予め設定されたタップ数分切り出された前記ＦＩＲフィルタを用いて、前記出力手段が出力する前記音声信号に対してフィルタリングを行うフィルタ手段と、
をさらに備えた請求項１又は２に記載の補正フィルタ処理装置。
【請求項４】
前記インパルス応答算出手段により算出された前記インパルス応答の逆特性を算出する逆特性算出手段を、さらに備え、
前記群遅延修正手段は、前記逆特性算出手段により算出された前記逆特性を有する前記ＦＩＲフィルタに対して、前記低周波数帯域の群遅延特性を、前記中高周波数帯域の群遅延特性に基づいて修正する、
請求項１乃至３のいずれか一つに記載の補正フィルタ処理装置。
【請求項５】
音声信号を出力する出力手段と、
音場を含んで構成される再生系のインパルス応答の逆特性を有するＦＩＲ（Finite  Impulse  Response）フィルタの、予め定められた周波数より低い帯域を示す低周波数帯域の群遅延特性を、当該予め定められた周波数より高い帯域を示す中高周波数帯域の群遅延特性に基づいて修正した後に、予め設定されたタップ数分切り出されたＦＩＲフィルタを補正フィルタとして用いて、前記出力手段が出力する前記音声信号に対してフィルタリングを行うフィルタ手段と、
を備えた補正フィルタ処理装置。
【請求項６】
インパルス応答算出手段が、音場を含んで構成される再生系のインパルス応答を算出するインパルス応答算出ステップと、
群遅延修正手段が、前記インパルス応答の逆特性を有するＦＩＲ（Finite  Impulse  Response）フィルタに対して、予め定められた周波数より低い帯域を示す低周波数帯域の群遅延特性を、当該予め定められた周波数より高い帯域を示す中高周波数帯域の群遅延特性に基づいて修正する群遅延修正ステップと、
切出手段が、前記群遅延修正ステップにより修正された後のＦＩＲフィルタから、予め設定されたタップ数分切り出す切出ステップと、
を有する補正フィルタ処理方法。
【発明の詳細な説明】
【技術分野】
【０００１】
本発明の実施形態は、補正フィルタ処理装置、及びその方法に関する。
【背景技術】
【０００２】
従来から、テレビ等の各種ＡＶ機器においては、音声を出力する際に、オ−ディオ信号の再生音質を劣化させる様々な要因が存在する。そこで、出力される音声を忠実な音質にするために様々な技術が提案されている。
【０００３】
例えば、音場を含んで構成される再生系で、応答特性を補正する技術として、ＦＩＲ（Finite  Impulse  Response）フィルタを用いることが提案されている。ＦＩＲフィルタでは、当該フィルタを構成するタップ数と、タップ毎の重みを示す係数（以下、タップ係数と称す）と、により特性が変化する。ＦＩＲフィルタでは、タップ数が多いほど周波数分解能が向上し、フィルタ性能が向上する。しかしながら、タップ数が多くなると、演算による処理負担が増加する。
【０００４】
そこで、従来技術として、ＦＩＲフィルタのタップ数を制限した上でフィルタ係数を求める技術が提案されている。例えば、周波数特性と位相補正特性とを合成して合成補正特性を求めた後、当該合成補正特性を、補正フィルタのフィルタ係数として用いる技術がある。
【先行技術文献】
【特許文献】
【０００５】
【特許文献１】特開２００８−１９７２８４号公報
【発明の概要】
【発明が解決しようとする課題】
【０００６】
しかしながら、従来技術に示すように、周波数特性と位相補正特性とを合成してフィルタ係数を求めることに制限するものではなく、他の手法を用いてもフィルタ係数を求めることができる。
【０００７】
本発明は、上記に鑑みてなされたものであって、処理負担を軽減した上で精度良く音響特性を補正する補正フィルタ処理装置、及びその方法を提供することを目的とする。
【課題を解決するための手段】
【０００８】
実施形態の補正フィルタ処理装置は、インパルス応答算出手段と、群遅延修正手段と、切出手段と、を備える。インパルス応答算出手段は、音場を含んで構成される再生系のインパルス応答を算出する。群遅延修正手段は、インパルス応答の逆特性を有するＦＩＲ（Finite  Impulse  Response）フィルタに対して、予め定められた周波数より低い帯域を示す低周波数帯域の群遅延特性を、当該予め定められた周波数より高い帯域を示す中高周波数帯域の群遅延特性に基づいて修正する。切出手段は、群遅延修正手段により修正された後のＦＩＲフィルタから、予め設定されたタップ数分切り出す。
【図面の簡単な説明】
【０００９】
【図１】図１は、実施形態にかかる音響再生装置の構成を示すブロック図である。
【図２】図２は、実施形態にかかるインパルス応答算出部により算出された後の、再生系のインパルス応答の測定例を示した図である。
【図３】図３は、図２に示したインパルス応答の振幅周波数特性を示した図である。
【図４】図４は、図２に示したインパルス応答の位相周波数特性を示した図である。
【図５】図５は、図２に示したインパルス応答の逆特性を示すＦＩＲフィルタのタップ係数を示した図である。
【図６】図６は、図５に示したＦＩＲフィルタのタップ係数に対応する振幅周波数特性を示した図である。
【図７】図７は、図５に示したＦＩＲフィルタのタップ係数に対応する位相周波数特性を示した図である。
【図８】図８は、図５に示したＦＩＲフィルタのタップ係数に対応する群遅延特性を示した図である。
【図９】図９は、図５に示したＦＩＲフィルタのタップ係数から、窓関数で２５６タップ分切り出した場合のタップ係数を示した図である。
【図１０】図１０は、図９で切り出したタップ係数に対応する振幅周波数特性を示した図である。
【図１１】図１１は、図９で切り出したタップ係数に対応する位相周波数特性を示した図である。
【図１２】図１２は、図９で切り出したタップ係数に対応する群遅延特性を示した図である。
【図１３】図１３は、実施形態にかかる群遅延修正部により修正された後の群遅延特性を示した図である。
【図１４】図１４は、群遅延特性を変更した場合の位相周波数特性を示した図である。
【図１５】図１５は、実施形態にかかる群遅延修正部により群遅延特性を変更された後のＦＩＲフィルタのタップ係数を示した図である。
【図１６】図１６は、実施形態にかかるタップ切出部により２５６タップ切り出されたＦＩＲフィルタのタップ係数を示した図である。
【図１７】図１７は、図１６に示すタップ係数に対応する振幅周波数特性を示した図である。
【図１８】図１８は、図１６に示すタップ係数に対応する位相周波数特性を示した図である。
【図１９】図１９は、図１６に示すタップ係数に対応する群遅延特性を示した図である。
【図２０】図２０は、図１０に示した群遅延特性を修正しなかった振幅周波数特性と、図１７に示す振幅周波数特性と、を重ね合わせた図である。
【図２１】図２１は、実施形態にかかる音響再生装置における、補正フィルタの生成処理の手順を示すフローチャートである。
【発明を実施するための形態】
【００１０】
図１は、実施形態にかかる音響再生装置１００の構成を示すブロック図である。図１に示すように、音響再生装置１００は、フィルタを用いて音響補正を行う補正フィルタ処理装置が適用された構成となっており、検査用音声信号生成部１０１と、電気／音響出力変換部１０２と、音響／電気入力変換部１０３と、インパルス応答算出部１０４と、逆特性算出部１０５と、群遅延修正部１０６と、タップ切出部１０７と、フィルタ部１１０と、スイッチ１１１と、を備える。
【００１１】
スイッチ１１１は、通常の音声信号と、検査用音声信号生成部１０１から入力された検査用音声信号と、から、本実施形態にかかる音響再生装置１００が出力する音声信号を切り替える。つまり、スイッチ１１１は、補正フィルタを生成する場合には、検査用音声信号生成部１０１とフィルタ部１１０とを接続し、それ以外の場合には、通常の音声信号を出力するための端子とフィルタ部１１０とを接続する。
【００１２】
検査用音声信号生成部１０１は、再生音場を含んで構成される再生系１５０の音響特性（インパルス応答）を測定するための検査用音声信号を生成する。本実施形態にかかる検査用音声信号では、例えば、ホワイトノイズ信号、又はＴＳＰ(Time  Stretched  Pulse)信号等を用いる。また、検査用音声信号は、検査用音声信号生成部１０１が測定の度に生成するのではなく、メモリ等に記憶させて読み出しても良い。
【００１３】
電気／音響出力変換部１０２は、検査用音声信号又は受聴対象の音声信号を、電気信号から再生音に変換し、出力する。また、電気／音響出力変換部１０２は、さらに、デジタル／アナログ変換部や、電力増幅部を含んでも良い。
【００１４】
音響／電気入力変換部１０３は、再生系１５０を伝播した検査用の再生音を収音し、収音した検査用の再生音について、音から電気信号に変換する。音響／電気入力変換部１０３は、アナログ／デジタル変換部や、電力増幅部を含んでも良い。
【００１５】
インパルス応答算出部１０４は、収音した検査用の再生音から変換された電気信号から、再生音場を含んで構成される再生系１５０のインパルス応答を算出する。
【００１６】
ところで、電気／音響出力変換部１０２から再生系１５０に放射される再生音は、電気／音響出力変換部１０２の振動系の固有振動、振動板の分割振動、筐体内部に発生する定在波、又は筐体の共鳴の影響を受けるほか、再生系１５０に存在するダクトの共鳴や、再生系１５０に存在するグリルやネットによる反射等、の種々の影響を受ける。このため、収音された検査用の再生音は、検査用音声信号生成部１０１により生成された検査用音声信号と比較して、振幅周波数特性および位相周波数特性が乱れている。
【００１７】
図２は、インパルス応答算出部１０４により算出された後の、再生系１５０のインパルス応答の測定例を示した図である。図２に示す例では、サンプリング周波数は４８ｋＨｚとする。さらに当該インパルス応答の振幅周波数特性および位相周波数特性について確認する。
【００１８】
図３は、図２に示したインパルス応答の振幅周波数特性を示した図である。さらに、図４は、図２に示したインパルス応答の位相周波数特性を示した図である。図３及び図４に示す例では、振幅周波数特性および位相周波数特性が乱れていることが確認できる。
【００１９】
そこで、本実施形態にかかる音響再生装置１００では、音響特性を補正するためにＦＩＲフィルタを適用する例とする。
【００２０】
逆特性算出部１０５は、インパルス応答算出部１０４により算出されたインパルス応答の逆特性を算出する。例えば、逆特性算出部１０５が、インパルス応答の離散フーリエ変換を行い、周波数領域の複素数を得て、次に当該複素数の逆数を算出し、さらに逆離散フーリエ変換を行うことで、インパルス応答の逆特性を求めることができる。
【００２１】
図５は、図２に示したインパルス応答の逆特性を示すＦＩＲフィルタのタップ係数を示した図である。図５に示す例では、逆特性算出部１０５が、基準レベルとして−２０．５ｄＢを設定し、さらに１００Ｈｚ以下の低音域と１５ｋＨｚ以上の高音域に対して元の振幅特性を、基準レベルである−２０．５ｄＢに置き換えて計算している。このような計算を行ったのは、１００Ｈｚ以下の低音域と１５ｋＨｚ以上の高音域は、電気／音響出力変換部１０２の再生音の出力で応答できない周波数帯域であるにもかかわらず、当該音域で極めて大きな補正ゲインを有するフィルタが生成されることを避けるためである。なおタップ係数とは、タップ毎の重みを示した係数とする。
【００２２】
図６は、図５に示したＦＩＲフィルタのタップ係数に対応する振幅周波数特性を示した図であり、図７は、図５に示したＦＩＲフィルタのタップ係数に対応する位相周波数特性を示した図である。図６に示す例では、１００Ｈｚ以下の低音域と１５ｋＨｚ以上の高音域とが基準レベルに置き換えられた上で計算されているため、ゲインが０ｄＢとなっていることが確認できる。図８は、図５に示したＦＩＲフィルタのタップ係数に対応する群遅延特性を示した図である。
【００２３】
図６に示したＦＩＲフィルタの振幅周波数特性は、再生系のインパルス応答の振幅周波数特性を示す図３の振幅レベル“−２０．５ｄＢ”を基準とした補正ゲインを示しており、その特性カーブは図３に示す振幅周波数特性を、“−２０．５ｄＢ”を軸として、反転させた特性と近似している。このため、図６に示したタップ係数のＦＩＲフィルタを適用することで、１００Ｈｚ〜１５ｋＨｚの範囲で、平坦な振幅周波数特性の再生音が得られる。
【００２４】
しかしながら、図５に示すタップ係数は、収束に大幅な時間を要する。このため、図５に示したタップ係数でＦＩＲフィルタを構成すると、３２７６８タップのフィルタとなる。当該フィルタにおいては、演算量が膨大で、回路規模や消費電力が大きくなるという問題がある。
【００２５】
フィルタのタップ数を少なくするために、所定のタップ数分のデータを切り出してフィルタとして実装する方法が提案されている。そこで、本実施形態においては、タップ切出部１０７が、逆特性算出部１０５により算出された、逆特性を有するＦＩＲ（Finite  Impulse  Response）フィルタから、予め設定されたタップ数分のＦＩＲフィルタを切り出す。
【００２６】
図９は、図５に示したＦＩＲフィルタのタップ係数から、窓関数で２５６タップ分切り出した場合のタップ係数を示した図である。
【００２７】
図１０は、図９で切り出したタップ係数に対応する振幅周波数特性を示した図であり、図１１は、図９で切り出したタップ係数に対応する位相周波数特性を示した図である。そして、図１２は、図９で切り出したタップ係数に対応する群遅延特性を示した図である。図１０で示した振幅周波数特性は、図６で示した、切り出す前の振幅周波数特性と比較すると、低周波数帯域のゲインが大きく低下していることが確認できる。
【００２８】
これは、低周波数帯域では、再生音の位相回転による群遅延が大きくなることにより、インパルス応答の収束時間が長くなることに基づく。つまり、ＦＩＲフィルタにおいては、群遅延を戻す特性が含まれることでインパルス応答の収束時間が長くなっていたにも関わらず、インパルス応答に対する切り出しを行った、換言すればタップ数を制限したことで、群遅延の大きい低周波数帯域の成分が切り捨てられたためである。
【００２９】
そこで、本実施形態では、図９に示すように、ＦＩＲフィルタのタップ係数から、２５６タップ数分を切り出す前に、群遅延修正部１０６で群遅延を修正することとした。
【００３０】
群遅延修正部１０６は、インパルス応答の逆特性を有するＦＩＲ（Finite  Impulse  Response）フィルタに対して、予め定められた周波数より低い帯域を示す低周波数帯域の群遅延特性を、当該予め定められた周波数より高い帯域を示す中高周波数帯域の群遅延特性に基づいて修正する。本実施形態では、低周波数帯域と中高周波数帯域とを分ける基準となる周波数が１００Ｈｚの場合について説明する。
【００３１】
なお、当該基準となる周波数は、１００Ｈｚに制限するものではない。例えば、２５６タップ数分切り出す場合、２５６サンプル以上の群遅延は制御できなくなる。このため、図８に示すような実測結果に基づいて群遅延が大きい部分を修正対象とするように適宜設定すればよい。そして、本実施形態では、当該基準となる周波数を１００Ｈｚとした場合について説明することとした。
【００３２】
そして、本実施形態にかかる群遅延修正部１０６は、１００Ｈｚ以下の低周波数帯域の群遅延を、当該低周波数帯域を除いた、インパルス応答全体の群遅延の値と合わせるように修正する。図１３は、群遅延修正部１０６により修正された後の群遅延特性を示した図である。図１３に示すように、群遅延修正部１０６は、１００Ｈｚ以下の低周波数帯域の群遅延に対して、１００Ｈｚより上の中高周波数帯域の群遅延の平均値に近似する所定の値に置き換えることとした。これにより、図８で示した群遅延特性では大きく変動していた低周波数帯域の群遅延が、中高周波数帯域の群遅延と揃えられたことが確認できる。
【００３３】
図１４は、群遅延特性を変更した場合の位相周波数特性を示した図である。図１４に示した位相周波数特性と、図７に示した位相周波数特性と、を比較すると、図１４に示した位相周波数特性の方が、位相が変化する範囲が圧縮されていることが確認できる。このため、図１４に示す位相周波数特性の方が、図７に示した位相周波数特性と比べて、タップ数が少ないＦＩＲフィルタにより適していることが確認できる。
【００３４】
図１５は、群遅延修正部１０６により群遅延特性を変更された後のＦＩＲフィルタのタップ係数を示した図である。本実施形態では、この修正された後のタップ係数を用いて以下に示す処理が行われる。
【００３５】
タップ切出部１０７は、群遅延修正部１０６により群遅延特性が修正された後のＦＩＲフィルタから、予め設定されたタップ数分切り出して、補正フィルタを生成する。本実施形態は、２５６タップ数分切り出す例とする。そして、タップ切出部１０７は、２５６タップ数分切り出すために、いわゆるTukey(tapered  cosine)ウィンドウといった窓関数を掛けることとする。なお、タップ数分のタップ係数を切り出す技術として、Tukey(tapered  cosine)ウィンドウ等の窓関数を用いた技術に制限するものではなく、他の手法を用いても良い。
【００３６】
図１６は、タップ切出部１０７により２５６タップ数分切り出されたＦＩＲフィルタのタップ係数を示した図である。図１７は、図１６に示すタップ係数に対応する振幅周波数特性を示した図であり、図１８は、図１６に示すタップ係数に対応する位相周波数特性を示した図である。図１９は、図１６に示すタップ係数に対応する群遅延特性を示した図である。
【００３７】
図２０は、図１０に示した群遅延特性を修正しなかった振幅周波数特性と、図１７に示す振幅周波数特性と、を重ね合わせた図である。図２０においては、線２００１が、群遅延特性を修正せずに窓関数で切り出したＦＩＲフィルタの振幅周波数特性であり、線２００２が、群遅延特性を修正した後窓関数で切り出した補正フィルタの群遅延特性である。図２０に示されるように、群遅延特性を修正した振幅周波数特性２００２が低周波数帯域で改善していることが確認できる。
【００３８】
フィルタ部１１０は、タップ切出部１０７により切り出された補正フィルタを用いて、電気／音響出力変換部１０２が出力する音声信号に対してフィルタリングを行う。
【００３９】
本実施形態にかかる音響再生装置１００は、上述した構成を備えることで、音声信号に対して適切なフィルタリングを行うことができる。
【００４０】
次に、本実施形態にかかる音響再生装置１００における、補正フィルタの生成処理について説明する。図２１は、本実施形態にかかる音響再生装置１００における上述した処理の手順を示すフローチャートである。
【００４１】
まず、検査用音声信号生成部１０１は、検査用音声信号を生成する（ステップＳ２１０１）。次に、電気／音響出力変換部１０２は、検査用音声信号を、電気信号から再生音に変換し、再生音場１５０に出力する（ステップＳ２１０２）。
【００４２】
その後、音響／電気入力変換部１０３が、再生音場１５０を伝播した検査用の再生音を収音し、再生音から電気信号に変換する（ステップＳ２１０３）。
【００４３】
そして、インパルス応答算出部１０４は、収音した検査用の再生音から変換された電気信号から、再生音場を含んで構成される再生系１５０のインパルス応答を算出する（ステップＳ２１０４）。
【００４４】
次に、逆特性算出部１０５は、インパルス応答算出部１０４により算出されたインパルス応答の逆特性を算出する（ステップＳ２１０５）。
【００４５】
そして、群遅延修正部１０６は、ＦＩＲフィルタの低周波数帯域（１００Ｈｚ以下の周波数帯域）の群遅延特性を、中高周波数特性（１００Ｈｚより上の周波数特性）の群遅延特性に合わせるよう修正する（ステップＳ２１０６）。
【００４６】
その後、タップ切出部１０７が、算出された逆特性を有するＦＩＲフィルタから、２５６タップ数分のＦＩＲフィルタを切り出して、再生系の音響特性を補正する補正フィルタを生成する（ステップＳ２１０７）。
【００４７】
そして、タップ切出部１０７は、生成された補正フィルタを、フィルタ部１１０に設定する（ステップＳ２１０８）。
【００４８】
上述した処理手順により、群遅延特性を修正したフィルタ特性を有する補正フィルタで、音声信号の補正が行われることになる。
【００４９】
本実施形態にかかる音響再生装置１００では、測定したインパルス応答の逆特性を求めた後に低周波数帯域の群遅延特性を変更する手法について説明した。しかしながら、このような手法に制限するものではなく、例えば、測定したインパルス応答に対して低周波数帯域の群遅延特性を変更した後にインパルス応答の逆特性を求めてもよい。
【００５０】
また、本実施形態では、群遅延特性の変更方法として、低周波数帯域の群遅延を所定の値に置き換える例を示したが、位相が変化する範囲が圧縮される、換言すれば群遅延時間を圧縮する手法を用いればよく、低周波数帯域の群遅延を所定の値で置き換えることに制限するものではない。
【００５１】
本実施形態にかかる音響再生装置１００は、タップ数の少ない、即ち演算量の少ないＦＩＲフィルタを利用しても、低周波数帯域の振幅特性に対して良好な補正ができる。
【００５２】
本実施形態にかかる音響再生装置１００では、基本的な音質設定のために付加的に、低域強調フィルタを設ける必要が無く信号処理の演算量または回路規模の増大を回避できる。また、音響再生装置１００では、音響的な低域増強に頼る必要性も少なく、コストの増加を伴わずに低周波数帯域の音圧特性を良好にすることが出来る。換言すれば、音響再生装置１００では、処理負担の軽減と音響特性の性能向上との両立を図る。
【００５３】
本実施形態にかかる音響再生装置１００では、ＦＩＲフィルタのタップ係数の群遅延特性を調整することで、低音域のゲインの低下を抑制することが可能であるため、タップ数の少ない安価なＤＳＰに実装可能なフィルタを用いた場合でも良好な低周波数帯域の音圧特性を得ることができる。
【００５４】
本実施形態にかかる音響再生装置１００では、補正フィルタの生成と、生成した補正フィルタを用いたフィルタリングと、の両方を行う場合について説明した。しかしながら、このように両方行う場合に制限するものではない。変形例としては、音響再生装置が、音声信号を出力する出力部と、出力部で出力する音声信号に対して補正フィルタを用いてフィルタリングするフィルタ部と、を備えたものであり、当該補正フィルタは、他のフィルタ処理装置において上述した処理で生成、設定されたものであってもよい。
【００５５】
上述した実施形態においては、テレビジョン受像装置内に備えられる音響再生装置１００の場合について説明したが、他の装置に適用しても良い。例えば、ＰＣ等に備え付けられる外部スピーカでも良い。ＣＤプレイヤなどの音響機器であっても良い。さらには、携帯電話に内蔵されても良いし、ヘッドフォンに対して適用しても良い。
【００５６】
テレビジョン受像装置内に備えられる音響再生装置１００は、ＣＰＵと、ＲＯＭと、ＲＡＭと、を含んだハードウェア構成となっている。本実施形態の音声処理プログラムを、ＲＯＭ等に予め組み込んで提供するように構成してもよい。
【００５７】
本実施形態の音響再生装置１００で実行される音響処理プログラムは、上述した各部（検査用音声信号生成部、電気／音響出力変換部、音響／電気入力変換部、インパルス応答算出部、逆特性算出部、群遅延修正部、タップ切出部、フィルタ部）を含むモジュール構成となっている。そして、実際のハードウェアとしてはＣＰＵが上記ＲＯＭから音響処理プログラムを読み出して実行することにより上記各部がＲＡＭ上にロードされ、検査用音声信号生成部、電気／音響出力変換部、音響／電気入力変換部、インパルス応答算出部、逆特性算出部、群遅延修正部、タップ切出部、フィルタ部がＲＡＭ上に生成される。
【００５８】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００５９】
１００…音響再生装置、１０１…検査用音声信号生成部、１０２…電気／音響出力変換部、１０３…音響／電気入力変換部、１０４…インパルス応答算出部、１０５…逆特性算出部、１０６…群遅延修正部、１０７…タップ切出部、１１０…フィルタ部、１１１…スイッチ、１５０…再生系
【図１】
2012128371.tif 000003
【図２】
2012128371.tif 000004
【図３】
2012128371.tif 000005
【図４】
2012128371.tif 000006
【図５】
2012128371.tif 000007
【図６】
2012128371.tif 000008
【図７】
2012128371.tif 000009
【図８】
2012128371.tif 000010
【図９】
2012128371.tif 000011
【図１０】
2012128371.tif 000012
【図１１】
2012128371.tif 000013
【図１２】
2012128371.tif 000014
【図１３】
2012128371.tif 000015
【図１４】
2012128371.tif 000016
【図１５】
2012128371.tif 000017
【図１６】
2012128371.tif 000018
【図１７】
2012128371.tif 000019
【図１８】
2012128371.tif 000020
【図１９】
2012128371.tif 000021
【図２０】
2012128371.tif 000022
【図２１】
2012128371.tif 000023
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
音場を含んだ再生系のインパルス応答を算出するインパルス応答算出手段と、
前記インパルス応答の逆特性を有するＦＩＲ（Finite  Impulse  Response）フィルタに対して、予め定められた周波数より低い低周波数帯域の群遅延特性を、当該予め定められた周波数より高い中高周波数帯域の群遅延特性に基づいて修正する群遅延修正手段と、
前記群遅延修正手段により修正された前記ＦＩＲフィルタから、予め設定された数のタップを切り出す切出手段と、
を備えた補正フィルタ処理装置。 
【請求項２】
前記群遅延修正手段は、前記中高周波数帯域の群遅延特性の平均値に近似する所定の値で、前記低周波数帯域の群遅延特性を修正する請求項１に記載の補正フィルタ処理装置。
【請求項３】
音声信号を出力する出力手段と、
前記切出手段により予め設定された数のタップを切り出された前記ＦＩＲフィルタを用いて、前記出力手段が出力する前記音声信号に対してフィルタリングを行うフィルタ手段と、
をさらに備えた請求項１又は２に記載の補正フィルタ処理装置。 
【請求項４】
前記インパルス応答算出手段により算出された前記インパルス応答の逆特性を算出する逆特性算出手段を、さらに備え、
前記群遅延修正手段は、前記逆特性算出手段により算出された前記逆特性を有する前記ＦＩＲフィルタに対して、前記低周波数帯域の群遅延特性を、前記中高周波数帯域の群遅延特性に基づいて修正する、
請求項１乃至３のいずれか一つに記載の補正フィルタ処理装置。 
【請求項５】
音声信号を出力する出力手段と、
音場を含んだ再生系のインパルス応答の逆特性を有するＦＩＲ（Finite  Impulse  Response）フィルタに対して、予め定められた周波数より低い低周波数帯域の群遅延特性を、当該予め定められた周波数より高い中高周波数帯域の群遅延特性に基づいて修正した後に、予め設定された数のタップを切り出された前記ＦＩＲフィルタを補正フィルタとして用いて、前記出力手段が出力する前記音声信号に対してフィルタリングを行うフィルタ手段と、
を備えた補正フィルタ処理装置。 
【請求項６】
インパルス応答算出手段が、音場を含んだ再生系のインパルス応答を算出するインパルス応答算出ステップと、
群遅延修正手段が、前記インパルス応答の逆特性を有するＦＩＲ（Finite  Impulse  Response）フィルタに対して、予め定められた周波数より低い低周波数帯域の群遅延特性を、当該予め定められた周波数より高い中高周波数帯域の群遅延特性に基づいて修正する群遅延修正ステップと、
切出手段が、前記群遅延修正ステップにより修正された後のＦＩＲフィルタから、予め設定された数のタップを切り出す切出ステップと、
を有する補正フィルタ処理方法。
【手続補正２】
【補正対象書類名】明細書
【補正対象項目名】０００８
【補正方法】変更
【補正の内容】
【０００８】
実施形態の補正フィルタ処理装置は、インパルス応答算出手段と、群遅延修正手段と、切出手段と、を備える。インパルス応答算出手段は、音場を含んだ再生系のインパルス応答を算出する。群遅延修正手段は、インパルス応答の逆特性を有するＦＩＲ（Finite  Impulse  Response）フィルタに対して、予め定められた周波数より低い低周波数帯域の群遅延特性を、当該予め定められた周波数より高い中高周波数帯域の群遅延特性に基づいて修正する。切出手段は、群遅延修正手段により修正されたＦＩＲフィルタから、予め設定された数のタップを切り出す。